(57)【要約】【課題】電子機器の筐体から外部に導出される接続ケーブルとして通常の線状部材が使用でき、また、筐体の組立時にパッキン材の配置を容易に行うことができる電子機器を得ること。【解決手段】周囲にパッキン材１４が配置された接続ケーブル１３と、外部に前記接続ケーブル１３を導出する開口部１５と、前記開口部１５の内側に前記接続ケーブル１３の導出方向と交わる方向に配置され前記接続ケーブル１３を収容する切り欠き２１が形成された複数のリブ１６とを有する筐体１とを備え、前記パッキン材１４は、帯状部材が前記接続ケーブル１３に巻き付けられて形成され、前記リブ１６と当接する部分に前記接続ケーブル１３まで貫通しない深さのスリット２２が形成されている。【選択図】図２
2011199032.tif 000002
【特許請求の範囲】
【請求項１】
周囲にパッキン材が配置された接続ケーブルと、
外部に前記接続ケーブルを導出する開口部と、前記開口部の内側に前記接続ケーブルの導出方向と交わる方向に配置され前記接続ケーブルを収容する切り欠きが形成された複数のリブとを有する筐体とを備え、
前記パッキン材は、帯状部材が前記接続ケーブルに巻き付けられて形成され、前記リブと当接する部分に前記接続ケーブルまで貫通しない深さのスリットが形成されていることを特徴とする電子機器。
【請求項２】
前記パッキン材が、前記接続ケーブルに前記帯状部材が複数回巻き付けられて形成されたものである請求項１に記載の電子機器。
【請求項３】
前記帯状部材の巻き終わり側の端部が、前記スリットが形成されない終端部となっている請求項１または２に記載の電子機器。
【請求項４】
前記リブに形成された前記切り欠きが略円弧状であり、前記スリットの長さが前記切り欠きの弧の長さと等しい請求項１から３のいずれか１項に記載の電子機器。
【発明の詳細な説明】
【技術分野】
【０００１】
本発明は、筐体の外部に導出される接続ケーブルを備えた電子機器に関し、特に、接続ケーブルの導出部において、簡易に形成できる構成で高い水密性と防塵性とを有する電子機器に関する。
【背景技術】
【０００２】
ノートパソコンやＰＤＡ（Personal Digital Assistant）、携帯電話や携帯ゲーム機など、ポータブル型の電子機器の普及が進んでいる。このような電子機器は、内部に精密な電子回路が収容されているため、外部から侵入する水分に弱く、機器本体に雨粒がかかるなどした場合には内部の回路が破損して機器自体が使用不可能となることが多かった。
【０００３】
しかし、近年のアウトドアユースの高まりから、例えば誤って水たまりなどに落としてしまった場合や、機器にコップの水や雨粒がかかった場合でも、動作に異常を来さない程度の防水性を備えた携帯電話などのニーズが高まっている。
【０００４】
また、ノートパソコンにおいても、情報の処理や伝達の手段として多用されるに伴ってその使用領域が拡がり、環境温度の変化が大きい条件下や、水しぶきが降りかかる場所での使用を想定するなど、極めて厳しい状態での動作を保証する特殊用途のものに対するニーズがある。
【０００５】
このようなニーズに応えた、高い水密性や防塵性を備えたノートパソコンとして、防水性のキーボードを防水性の本体に内蔵し、表示部とパソコン本体部とを防水フレキシブルケーブルで接続したノートパソコンにおいて、機器の内部部品の交換時の分解や機器の組立製造自体を容易化するために、テフロン（登録商標）系樹脂を含む撥水処理がされた層と独立発泡高分子層とを積層した防水パッキンを用いるものが開示されている（特許文献１参照）。
【先行技術文献】
【特許文献】
【０００６】
【特許文献１】特開２００９−００３６４９号公報
【発明の概要】
【発明が解決しようとする課題】
【０００７】
しかし、上記従来の方法では、環状のパッキン材で筐体の開口部を覆い、このパッキン材で挟まれた状態で外部に接続ケーブルを導出するものであるため、接続ケーブルとして特殊な平面状のフレキシブルケーブルを用いなくてはならない。また、パソコン筐体の組立時には、あらかじめパッキン材をフレキシブルケーブルに通しておかなくてはならないなど、接続ケーブルの選択やパソコンの組立製造における制約が十分に解消されたものとは言えなかった。
【０００８】
本発明はこのような従来技術の課題を解決するものであり、電子機器の筐体から外部に導出される接続ケーブルとして通常の線状部材が使用でき、また、筐体の組立時にパッキン材の配置を容易に行うことができる電子機器を得ることを目的とする。
【課題を解決するための手段】
【０００９】
上記課題を解決するため本発明の電子機器は、周囲にパッキン材が配置された接続ケーブルと、外部に前記接続ケーブルを導出する開口部と、前記開口部の内側に前記接続ケーブルの導出方向と交わる方向に配置され前記接続ケーブルを収容する切り欠きが形成された複数のリブとを有する筐体とを備え、前記パッキン材は、帯状部材が前記接続ケーブルに巻き付けられて形成され、前記リブと当接する部分に前記接続ケーブルまで貫通しない深さのスリットが形成されていることを特徴とする。
【発明の効果】
【００１０】
本発明の電子機器は、筐体の開口部から外部に導出される接続ケーブルの周囲に配置されたパッキン材が、帯状部材が接続ケーブルに巻き付けられて形成されていて、筐体に形成されたリブに当接する部分に接続ケーブルまで貫通しない深さのスリットが形成されている。このため、筐体のリブとの嵌合度合いが高いパッキン材を接続ケーブルの周囲に容易に巻回配置することができる。
【図面の簡単な説明】
【００１１】
【図１】本発明の実施形態にかかるノートパソコンの全体構成を示す斜視図である。
【図２】本発明の実施形態にかかるノートパソコンの筐体を構成する第１の部材における開口部部分の構成を示す要部拡大平面図である。
【図３】本発明の実施形態にかかるノートパソコンの筐体を構成する第２の部材における開口部部分の構成を示す要部拡大平面図である。
【図４】本発明の実施形態にかかるノートパソコンの筐体を構成する第１の部材に形成されたリブの構造を示す斜視図である。
【図５】本発明の実施形態にかかるノートパソコンのパッキン材を接続ケーブルに巻き付ける様子を示す斜視図である。
【図６】本発明の実施形態にかかるノートパソコンの接続ケーブルにパッキン材が巻き付けられた状態を示す斜視図である。
【発明を実施するための形態】
【００１２】
本発明の電子機器は、周囲にパッキン材が配置された接続ケーブルと、外部に前記接続ケーブルを導出する開口部と、前記開口部の内側に前記接続ケーブルの導出方向と交わる方向に配置され前記接続ケーブルを収容する切り欠きが形成された複数のリブとを有する筐体とを備え、前記パッキン材は、帯状部材が前記接続ケーブルに巻き付けられて形成され、前記リブと当接する部分に前記接続ケーブルまで貫通しない深さのスリットが形成されている。
【００１３】
このようにすることで、接続ケーブルに帯状部材を巻き付けるという簡易に所定の位置にパッキン材を配置できる構成ながら、開口部近傍の筐体に形成された複数のリブにパッキン材のスリットが強く嵌合するため、リブ同士の間隔部分でパッキン材がふくらんで高い水密性と防塵性とを発揮する。このため、通常の線状の接続ケーブルを用いて、容易に製造でき、かつ、高い水密性と防塵性とを備えた電子機器を得ることができる。
【００１４】
上記本発明にかかる電子機器では、前記パッキン材が、前記接続ケーブルに前記帯状部材が複数回巻き付けられて形成されたものであることが好ましい。このようにすることで、パッキン材の厚さを所望のものとすることができ、さらに、巻き付けられたときに表面側に位置することになる帯状部材の部分にのみスリットを設けることで、パッキン材に接続ケーブルまで貫通しない深さのスリットを容易に形成することができる。
【００１５】
また、前記帯状部材の巻き終わり側の端部が、前記スリットが形成されない終端部となっていることが好ましい。このようにすることで、帯状部材の巻き終わり側の端部を一体となったまま接続ケーブルに容易に巻き付けることができ、また、パッキン材のスリットが筐体のリブに嵌合した際に、パッキン材のスリットが形成されていない部分がリブ同士の間隔部分でふくらみやすくなり、高い水密性と防塵性とを得ることができる。
【００１６】
さらに、前記リブに形成された前記切り欠きが略円弧状であり、前記スリットの長さが前記切り欠きの弧の長さと等しいことが好ましい。このようにすることで、パッキン材のスリット部分がリブに形成された切り欠きと強く嵌合し、切り欠き部分に填り込んだ接続ケーブルの周囲に配置されたパッキン材により、高い水密性と防塵性とが実現できる。
【００１７】
以下、本発明にかかる電子機器の実施形態として、ノートパソコンを例示して説明する。本実施形態のノートパソコンは、表示パネルとして透過型の液晶パネルを備えた表示部と、パソコン本体部とがヒンジ機構により回動可能に構成されたものであり、周囲温度の変化が大きい環境下や、ノートパソコンに水滴がかかるような過酷な条件での使用を想定した水密性、防塵性の高いものである。
【００１８】
図１は、本実施形態のノートパソコンの全体構成を示す斜視図である。
【００１９】
本実施形態のノートパソコン１００は、筐体である表示部１と、もう一つの筐体であるパソコン本体部２とが、ヒンジ部カバー３内に収容された図示しないヒンジ機構によって回動可能な状態で取り付けられている。
【００２０】
本実施形態のノートパソコン１００においてヒンジ機構は、その回動軸がパソコン本体部２上面の少し上方側に位置するように、パソコン本体部２の内部から上方に突出して設けられている。また、本実施形態のノートパソコン１００では、パソコン本体部２の左右両側に２つのヒンジ機構が配置されている。なお、本実施形態のノートパソコンにおいて、ヒンジ機構の配置位置やヒンジ機構の数に制約はなく、ヒンジ機構は１つでも３つ以上設けられていてもよい。また、ヒンジ機構の回動軸の位置にも制限はなく、回動軸がパソコン本体部２の内部に埋め込まれた状態や、パソコン本体部２の上方側ではなく後方側に突出した状態など、さまざまな形態のヒンジ機構を採用することができる。
【００２１】
表示部１は、表示パネルとしての液晶パネル４を収納していて、ノートパソコン１００の不使用時にはヒンジ機構で折りたたまれてパソコン本体部２の蓋部となる。表示部１に収納された液晶パネル４としては、一例として通常のアクティブマトリクスタイプの液晶パネルを用いることができ、液晶パネル４は、液晶パネル４で画像表示を行うためのバックライトや駆動回路とともに一体化されて液晶モジュールを構成している。このように表示パネルとしては、現在周知の液晶パネルの構成をそのまま使用することができるため、液晶パネル４を含めた表示部１の構成についての詳細な説明は省略する。
【００２２】
パソコン本体部２の表面には、ノートパソコンとしての通常の構成として、キーボードやタッチパッド、ディスクドライブ装置の蓋部などが設けられている。また、パソコン本体部２の内部には、ＣＰＵやメモリなどの回路構成や、充電式電池、各種ドライブ装置などが収納されている。これら、パソコン本体部２の構成も、従来周知のノートパソコンの構成をそのまま適用できるものであることから、その詳細の説明は省略する。
【００２３】
本実施形態のノートパソコン１００は、高い水密性、防塵性を保つために、表示部１内部の液晶パネル４を駆動する図示しない駆動回路と、パソコン本体部２内部の図示しない回路基板とを接続するために、表示部１から導出される接続ケーブルの周囲にパッキン材が配置されている。
【００２４】
図２および図３は、本実施形態のノートパソコン１００における表示部１の、接続ケーブル１３が導出される部分の構成を示す部分拡大図である。
【００２５】
本実施形態のノートパソコン１００の表示部１は、図２にその内部構造を示す第１の部材１１と、図３にその内部構造を示す第２の部材１２とが接合されて形成されている。双方がその内部構成を示す図であるため、図２に示される第１の部材１１と図３に示される第２の部材１２とは、お互いに線対称の関係となっている。
【００２６】
図２に示す第１の部材１１には、図中左側に位置することとなる図示しないヒンジ部へと接続ケーブル１３を導出させるための開口部１５が形成されている。また、第１の部材１１の開口部１５の内側には、２つのリブ１６が図２における上下方向に形成されている。
【００２７】
図２において２つのリブ１６の配置方向は、接続ケーブル１３の導出方向、すなわち、図中の左右方向と直交した図中上下方向であるが、本実施形態のノートパソコン１００においてリブ１６の形成方向は、このように接続ケーブル１３の導出方向と直交した方向に限られるものではない。後述するように、接続ケーブル１３の周囲に配置されたパッキン材１４のスリット２２がリブ１６と嵌合して、水密性と防塵性とを確保できればよく、接続ケーブル１３の導出方向と、リブ１６の形成方向とのなす角度は、最も好ましい直交状態である９０度に対して、最大でプラスマイナス４５度程度の範囲まで許容することができる。
【００２８】
第１の部材１１に形成された２つのリブ１６には、図４に示す斜視図より明らかなように、その中央部分に略円弧状の切り欠き２１（２１ａ、２１ｂ）が形成されている。このため、接続ケーブル１３は、この切り欠き２１に填り込んだ状態となっている。なお、図２では、リブ１６を２つ設けたものとして示しているが、本実施形態のノートパソコン１００においてリブ１６は複数個形成されていればよく、リブ１６を３つ以上設けることもできる。
【００２９】
図２に示すように、接続ケーブル１３の周囲にはパッキン材１４が配置されていて、このパッキン材１４がリブ１６の周辺部分、特に、リブ１６同士の間隔部分でふくらむ様に変形することによって、開口部１５から導出される接続ケーブル１３における水密性と防塵性とを確保できるようになっている。なお、接続ケーブル１３の周囲にパッキン材１４を配置する方法やパッキン材１４の詳細については、図５および図６を用いて後述する。
【００３０】
図３に示す第２の部材１２にも、図２に示した第１の部材１１に形成されたものと同様に開口部１７が形成されていて、第１の部材１１と第２の部材１２とが、互いにその端部をつきあわせるように接合されることで、全体として略円形の開口部が形成されるようになる。
【００３１】
図３に示す第２の部材１２の開口部１７の内側にも、第１の部材１１の２つのリブ１６に対応する位置に、同じ間隔で同じ大きさのリブ１８が形成されている。ただし、第２の部材１２に形成された２つのリブ１８には、図４に示したような第１の部材１１のリブ１６に形成された切り欠き２１は存在していない。このため、第１の部材１１と第２の部材１２とがその端部がつきあわされて接合された場合には、接続ケーブル１３は第１の部材１１側に押し込まれて第２の部材１２側には位置しない状態となる。
【００３２】
なお、第１の部材１１のリブ１６が３つ以上形成されている場合には、第２の部材１２にも同じ個数のリブ１８を形成することが好ましい。
【００３３】
次に、図４を用いて、リブ１６に形成された切り欠き２１の詳細について説明する。
【００３４】
本実施形態のノートパソコン１００において、表示部１を形成する第１の部材１１に形成されたリブ１６（１６ａ、１６ｂ）には、略円弧状の切り欠き２１（２１ａ、２１ｂ）が形成されている。ここで、略円弧状の切り欠きとは、切り欠き２１の外周がほぼ円弧状であることを示し、円弧の見込み角の大小には左右されない概念である。このため、図４に示した左側のリブ１６ａに形成された切り欠き２１ａのように、見込み角がほぼ１８０度の場合の、半円形を切り取ったような切り欠きのみならず、見込み角が１８０度未満の浅い切り欠きや、見込み角が１８０度以上の、リブの上端部が回り込んで狭くなるような切り欠きを形成することも可能である。また、図４に示す右側のリブ１６ｂに形成した切り欠き２１ｂのように、切り欠き２１ｂの外周部分が円弧のみで形成されているのではなく、リブ１６ｂの高さに合わせて、切り欠き２１ｂの上端部分に円弧に繋がる短い直線部分ｄを含むようなものも含まれる。さらに、円弧部分としても真円の一部のみに限定されるのではなく、略円弧状の切り欠きとは、楕円や長円の一部を切り取って形成された外形を有する切り欠きをも含む概念である。
【００３５】
図５は、接続ケーブル１３の周囲にパッキン材１４を配置するために、接続ケーブル１３に帯状部材であるパッキン材１４を巻きつけている状態を示している。また、図６は、接続ケーブル１３の周囲にパッキン材１４が巻き付けられた状態を示している。
【００３６】
図５に示すように、本実施形態のノートパソコン１００の接続ケーブル１３の周囲に配置されたパッキン材１４は、帯状部材の一端を接続ケーブル１３に固定して接続ケーブル１３の周囲に巻き付けることによって配置されたものである。
【００３７】
このようにすることで、接続ケーブル１３の両端を所定の固定部材などで固定した後であっても、任意の場所に容易にパッキン材を配置することができる。このため、従来の樹脂製や硬質ゴム製の成型済みのパッキン材のように、あらかじめ接続ケーブルをパッキン材に通しておく必要が無くなる。また、従来の成型済みのパッキン材を、両端が固定された接続ケーブルの所望の位置に配置するためには、パッキン材を分割して接続ケーブルの周囲に配置した後、再び一体化する必要があったが、本実施形態のパッキン材１４では、このような手間が無くなる。さらに、このように一旦パッキン材を分割して後に一体化する方法で生じやすい、パッキン材同士の接合部分やパッキン材と接続ケーブルとの間に隙間が生じて、十分な水密性と防塵性とを確保できなくなるという問題を解消することができる。このため、ノートパソコン１００の製造時のみならず、ノートパソコン１００の補修時に、接続ケーブル１３を取り外すことなく新たなパッキン材１４を配置することができ、取り扱いが極めて容易となる。
【００３８】
接続ケーブル１３に巻き付ける前の帯状部材の状態であるパッキン材１４には、あらかじめスリット２２を形成しておくことが好ましい。図５に示すように、帯状部材の長さ方向において巻き終わり側の位置に、あらかじめスリット２２が形成されたパッキン材１４を接続ケーブル１３に巻き付けることで、図６に示すように、接続ケーブル１３の周囲に配置されたパッキン材１４の表面に、スリット２２を形成することができる。
【００３９】
パッキン材１４に形成されたスリット２２の幅Ｘと長さＹとは、図４に示す、嵌合されるリブ１６の幅ｔおよび切り欠き２１の円弧部分の周長Ｌと、それぞれほぼ等しく形成されていることがより好ましい。。このようにすることで、接続ケーブル１３に巻き付けられたパッキン材１４のスリット２２とリブ１６の切り欠き２１部分とが確実に嵌合する。
【００４０】
図６に示すように本実施形態の接続ケーブル１３の周囲に配置されるパッキン材１４は、接続ケーブル１３の周囲を約２回半巻回されている。このように、接続ケーブル１３に複数回巻回されることで、帯状部材が重なり合って必要な厚さを備えたパッキン材１４とすることかできる。また、図５に示すように、帯状部材１４の巻き終わり側に切り欠き２１の周長Ｌに相当する長さＹのスリット２２を設けているため、スリット２２が帯状部材の状態での厚さを貫通するものであっても、接続ケーブル１３に巻かれた状態のパッキン材１４においては表面から２番目の層に相当する部分にスリット２２が形成されていないため、スリット２２はパッキン材１４の表面にのみ形成され、スリット２２が接続ケーブル１３にまで貫通する深さを有していないことになる。このため、パッキン材１４は、表面ではスリット２２の形成部分でリブ１６の切り欠き２１と嵌合すると共に、接続ケーブル１３に近い内周部分では連続して形成されているため、表示部１に設けられた開口部１５において高い水密性と防塵性を得ることができる。
【００４１】
パッキン材１４を配置するために、帯状部材を接続ケーブルの周囲に巻回する回数は、上記実施形態として示した２回半に限られるものではなく、帯状部材であるパッキン材１４の厚さや、材料、求められる水密・防塵特性に応じて適宜定められるべきものである。ただし、パッキン材１４が、接続ケーブル１３の周囲に巻回される回数が２回以下の場合で、スリット２２の形成部分において接続ケーブル１３を１重で取り囲む場合には、帯状部材であるパッキン材１４に形成されるスリット２２の深さは、帯状部材の厚さ未満として、接続ケーブル１３に巻回されたときに、スリット２２の深さが接続ケーブル１３にまで貫通するものとならないようにすることが必要である。
【００４２】
パッキン材１４に形成されるスリット２２の本数とその形成間隔は、嵌合される第１の部材１１に形成したリブ１６の配置本数と配置間隔と等しくされている。このため、パッキン材１４に形成された２つのスリット２２それぞれを、第１の部材１１に形成された２つのリブ１６に正確に嵌合させることができ、図２に示したように２つのリブ１６の間隔部分でパッキン材１４がふくらんで高い機密性と防塵性を発揮することができる。
【００４３】
図５に示すように、パッキン材１４の巻き終わり側の端部には、スリット２２が形成されていない幅Ｚの終端部１４ａが形成されていることが好ましい。このようにすることで、あらかじめスリットが形成された帯状部材であるパッキン材１４を接続ケーブル１３に巻回する際に、パッキン材１４の端部がバラバラになってしまって、パッキン材１４を巻き付ける作業の作業性が低下することを回避することができる。また、パッキン材１４の巻き終わり側に終端部１４ａが形成されていることで、スリット２２の長さ方向の両端部外側にスリット２２が形成されていない部分を確保することかできる。このため、スリット２２がリブ１６の切り欠き部２１に嵌合したときに、パッキン材１４に隙間が形成されることを効果的に防止して、高い水密性と防塵性とを確保することができる。
【００４４】
このような事情から、パッキン材１４の終端部１４ａの幅Ｚは、パッキン材１４の材料や厚さなどを考慮して適宜調整すべきものである。もちろん、パッキン材１４を接続ケーブル１３に巻き付ける上で支障が無く、パッキン材１４の巻き終わり部分が確実に固着されて所望の水密性と防塵性を得られるのであれば、パッキン材１４に終端部１４ａを設けることは必須ではなく、パッキン材１４の巻き終わり側の端部までスリット２２が形成されていてもかまわない。
【００４５】
パッキン材１４としては、一例として厚さが２〜４ｍｍの発泡性シリコンやウレタンなどの樹脂、低硬度のゴムシートを用いることができる。また、本実施形態のノートパソコン１００に用いられたパッキン材１４は、接続ケーブル１３への巻き付けと固着を容易にし、かつ、パッキン材１４同士が重なる部分で高い水密性と防塵性とを得るために、パッキン材１４の裏面全体に図示しない層状の接着剤が塗布されている。なお、シート状のパッキン材１４の裏面全てに接着剤層が必要とされるのではなく、接続ケーブル１３との固着や、少なくとも接続ケーブル１３に巻き付けられた最終端の部分でパッキン材１４が固着されるように、帯状部材であるパッキン材１４の裏面の長さ方向両端部のみに接着剤層を用いるなど、パッキン材１４を接続ケーブル１３に確実に固着でき、かつ、巻き付けられたパッキン材１４の各層間で水密性や防塵性が低下しない範囲で適宜必要な部分にのみ接着剤層があればよい。また、パッキン材１４に接着剤層を設けずに、パッキン材１４を接続ケーブルに巻き付けた後、パッキン材１４の外側から固定するようにしてもよい。
【００４６】
図５では、帯状部材であるパッキン材１４を接続ケーブル１３に巻回するに当たって、パッキン材１４の長さ方向と接続ケーブル１３とをほぼ垂直に配置する状態を例示したが、本実施形態のノートパソコン１００においては、帯状部材のパッキン材１４を接続ケーブル１３に対して少し斜めに配置して、螺旋状に巻回することも可能である。このように、パッキン材１４の長さ方向を接続ケーブル１３に対して斜めに巻き付けると、帯状部材の状態でその長さ方向形成されたスリット２２が、巻き付けによって複数の層が重なり合った際には互いにその配置位置がずれることになる。このため、パッキン材１４の表面からのスリット２２の深さを、帯状部材であるパッキン材１４の厚さ分だけとし、接続ケーブル１３まで貫通しないスリット２２を容易に形成することができる。
【００４７】
なお、パッキン材１４表面に、リブ１６の切り欠き部２１と嵌合する所定の長さＹにわたって所望の深さのスリット２２を形成することができるのであれば、接続ケーブル１３に巻き付ける前の帯状部材であるパッキン材１４にあらかじめスリット２２を形成しておくことは、本実施形態のノートパソコン１００において必須の要件ではなく、接続ケーブル１３にパッキン材１４を巻き付けた後にスリット２２を形成するようにしてもかまわない。特に、パッキン材１４に形成されるべきスリット２２の深さが、パッキン材１４の帯状部材での厚さよりも大きい場合、すなわち、巻き付けられたパッキン材１４の複数の層に渡ってスリット２２を形成しなくてはならない場合には、パッキン材１４を接続ケーブル１３に巻き付ける前の段階で、巻き付けられたときに重なるパッキン材１４の所定の位置に正確にスリット２２を形成することは困難な場合がある。このような場合には、パッキン材１４を接続ケーブル１３に巻き付けた後、所望の深さのスリット２２を形成することがむしろ好ましい。
【００４８】
以上のように、本実施形態のノートパソコン１００では、接続ケーブル１３が導出される開口部１５の内側に複数のリブ１６を形成し、このリブ１６に形成された切り欠き２１に、接続ケーブル１３に巻き付けられたパッキン材１４に形成されたスリット２２が嵌合することで、製造が容易な構成でありながら、通常の線状の接続ケーブル１３の導出部を高い水密性と防塵性とを確保して実現することができる。
【００４９】
なお、上記実施形態では、表示部１を構成する第１の部材１１と第２の部材１２にそれぞれ形成されたリブ１６，１８の内、第１の部材１１に形成されたリブ１６にのみ略円弧状の切り欠き２１を設けたものを例示して説明した。しかし、本実施形態のノートパソコン１００はこれに限られるものではなく、第１の部材１１のリブ１６と、第２の部材１２のリブ１８との双方に切り欠き２１を形成することもできる。
【００５０】
また、図４において右側に示したリブ１６ｂに形成された切り欠き２１ｂのように、切り欠き２１の深さが深い場合には、接続ケーブル１３の周囲に配置されるパッキン材１４の厚みを厚くすることや、本実施形態における第２の部材１２に形成されたリブ１８の近傍にシールド部材を貼着するなど、リブ１６に形成された切り欠き２１の部分から水密性や防塵性が低下しないような処置を施すことができる。
【００５１】
また、本実施形態のノートパソコン１００では、リブ１６に形成された切り欠き２１の形状として略円弧状のものを例示したが、切り欠きの形状に制約はなく、嵌合するパッキン材の素材や厚さなどを調整することで必要とされる水密性と防塵性とが得られるのであれば、例えば全体として多角形状の切り欠きや、極端な場合には略Ｖ字状の切り欠きを用いることもできる。
【００５２】
また、上記実施形態では、ノートパソコン１００の表示部１からヒンジ部に導出される接続ケーブル１３の周囲に配置されたパッキン材１４について説明したが、ノートパソコン１００の筐体の他の部分から導出される、他の接続ケーブルの周囲に配置されたパッキン材に上記構成を適用できることは言うまでもない。
【００５３】
また上記本実施形態では、本発明の電子機器として、表示パネルとして透過型の液晶パネルを備えた特殊な環境下で使用されるノートパソコンについて説明したが、これはあくまで例示に過ぎず、本発明の適用対象を限定するものではない。
【００５４】
本発明の電子機器がノートパソコンである場合でも、特別に厳しい使用条件を想定したものに限らず、通常用途のノートパソコンに本発明を適用できることは言うまでもない。また、ノートパソコンの表示パネルとしても、例示した透過型の液晶パネルに限られず、半透過型や反射型の液晶パネル、ＰＤＰパネル、ＥＬパネル、ＦＥＤパネルなどの各種の表示パネルを用いることができる。
【００５５】
また、本発明の適用対象の電子機器はノートパソコンに限られず、ＰＤＡや携帯用ＤＶＤプレーヤー、電子辞書、ゲーム機、携帯電話などのポータブル機器をはじめとして据え置き型のものを含め、水密性と防塵性とが要求される各種の電子機器に適用することができる。
【産業上の利用可能性】
【００５６】
本発明は、筐体から導出される接続ケーブルの導出部分に高い水密性と防塵性とが求められる、各種の電子機器に利用することができる。
【符号の説明】
【００５７】
１      表示部（筐体）
２      パソコン本体
３      ヒンジ部カバー
４      液晶パネル（表示素子）
１１    第１の部材
１２    第２の部材
１３    接続ケーブル
１４    パッキン材
１５、１７  開口部
１６、１８  リブ
２１    切り欠き部
２２    スリット
１００  ノートパソコン（電子機器）
【図１】
2011199032.tif 000003
【図２】
2011199032.tif 000004
【図３】
2011199032.tif 000005
【図４】
2011199032.tif 000006
【図５】
2011199032.tif 000007
【図６】
2011199032.tif 000008